(57)【特許請求の範囲】
【請求項１】
ベース部（２１）と、
下端が前記ベース部（２１）の前端に取り付けられた結合台（２２）と、
下端部は前記ベース部（２１）に接続され、上端は前記結合台（２２）に滑動可能に接続され、前記結合台（２２）と前記ベース部（２１）の間に所定の角度を形成する支え板（２３）と
を有し、
当該支え板（２３）の上端部にスライド・ブロック（２３１）が設けられ、前記結合台（２２）に垂直スライド部（２２１２）が設けられ、
前記スライド・ブロック（２３１）は前記垂直スライド部（２２１２）に沿って垂直方向に滑動可能であり、前記スライド・ブロック（２３１）の当該滑動により、前記結合台（２２）と前記ベース部（２１）との間の前記角度が調整され、
当該結合台（２２）には、前記垂直スライド部（２２１２）の両側に垂直方向にラック（２２３）及び調整ユニット（２２４）がそれぞれ配置され、
当該調整ユニット（２２４）は、前記ラック（２２３）と係合可能な係止部材（２２４２）を有し、
当該係止部材（２２４２）は、水平方向に滑動可能に前記スライド・ブロック（２３１）と嵌合し、
前記係止部材（２２４２）は前記ラック（２２３）と係合されるときに、前記スライド・ブロックが前記垂直スライド部（２２１２）に対して固定され、前記結合台（２２）と前記ベース部（２１）との間の前記角度が固定され、
前記調整ユニット（２２４）により、前記係止部材（２２４２）は前記ラック（２２３）から離れる方向に水平方向に滑動されるとき、前記スライド・ブロックが前記垂直スライド部（２２１２）に沿って垂直方向に滑動可能となり、前記スライド・ブロックの当該滑動により、前記結合台（２２）と前記ベース部（２１）との間の前記角度が調整される
ことを特徴とする角度調整可能な表示装置支え構造。
【請求項２】
前記調整ユニット（２２４）は、更にスライド板（２２４１）と、操作棒（２２４３）とを備え、
前記スライド板（２２４１）の一サイドに沿って垂直ガイド溝（２２４１１）が形成され、前記係止部材（２２４２）の一端（２２４２２）は、前記垂直ガイド溝（２２４１１）に沿って滑動可能に前記垂直ガイド溝（２２４１１）内に係合し、
前記スライド板（２２４１）に斜め溝（２２４１２）が形成され、
前記操作棒（２２４３）は、少なくとも一つの推し部材を有し、前記推し部材は前記斜め溝（２２４１２）に係合され、
前記スライド・ブロック（２３１）に少なくとも１つの突出部が形成され、当該突出部は前記垂直スライド部（２２１２）に嵌め込まれ、
前記突出部（２３１１）上に、スライド部材（２３１２）が設けられ、当該スライド部材（２３１２）は水平スライド溝（２３１２１）を備え、前記係止部材（２２４２）は前記水平スライド溝（２３１２１）に嵌め込まれ、水平方向に滑動可能に前記スライド・ブロック（２３１）と嵌合し、
前記操作棒は垂直方向に引っ張られるときに、前記推し部材は前記斜め溝内に移動され、前記スライド板を前記ラック（２２３）から離れる方向に水平移動し、これにより、前記スライド板の前記垂直ガイド溝に係合される前記係止部材（２２４２）は前記スライド部材（２３１２）における前記水平スライド溝（２３１２１）内に水平方向に移動され、前記ラック（２２３）から離れる
請求項１に記載の角度調整可能な表示装置支え構造。
【請求項３】
前記ベース部の後方の一辺は、両端部が伸長し、水平足部となる
請求項１又は２に記載の角度調整可能な表示装置支え構造。
【請求項４】
当該結合台（２２）は、フレーム（２２１）と蓋板（２２２）とを備え、
前記調整ユニット（２２４）及び前記ラック（２２３）は、前記フレームと前記蓋板（２２２）の間に配置され、
前記垂直スライド部（２２１２）は前記フレーム（２２１）の本体に形成される
請求項２に記載の角度調整可能な表示装置支え構造。
【請求項５】
前記斜め溝（２２４１２）と前記係止部材（２２４２）の水平移動方向の間に、前記ラック（２２３）と前記係止部材（２２４２）を係合するように、所定の角度が形成される
請求項２に記載の角度調整可能な表示装置支え構造。
【請求項６】
前記スライド板に水平ガイド溝が形成され、当該水平ガイド溝の中に、ガイド部材が設けられ、前記スライド板の水平移動を規制する
請求項２に記載の角度調整可能な表示装置支え構造。
【請求項７】
前記スライド板（２２４１）における前記垂直ガイド溝（２２４１１）が形成されるサイドと反対するサイドの側面に対面して、少なくとも一つの位置回復部材（２２４１５）が設けられ、
前記位置回復部材の一端が前記フレームに固定され、他端は前記スライド板に固定され、前記スライド板を水平方向に前記位置回復部材の前記一端へ引っ張る
請求項４に記載の角度調整可能な表示装置支え構造。
【請求項８】
一端が前記操作棒に固定され、他端は前記蓋板に固定される位置回復部材（２２４３４）を更に備え、
前記位置回復部材（２２４３４）は、前記操作棒（２２４３）を垂直方向に前記位置回復部材（２２４３４）の前記他端へ引っ張る
請求項４に記載の角度調整可能な表示装置支え構造。
【請求項９】
表示パネルと、表示パネル支え構造とを有する表示装置であって、
前記表示パネル支え構造は、ベース部（２１）と、下端が前記ベース部（２１）の前端に接続され、前記表示パネルが取り付けられた結合台（２２）と、下端部は前記ベース部（２１）に接続され、上端は前記結合台（２２）に滑動可能に接続され、前記結合台（２２）と前記ベース部（２１）の間に所定の角度を形成する支え板（２３）と
を有し、
当該支え板（２３）の上端部にスライド・ブロック（２３１）が設けられ、
前記結合台（２２）に垂直スライド部（２２１２）が設けられ、
前記スライド・ブロック（２３１）は前記垂直スライド部（２２１２）に沿って垂直方向に滑動可能であり、前記スライド・ブロック（２３１）の当該滑動により、前記結合台（２２）と前記ベース部（２１）との間の前記角度が調整され、
当該結合台（２２）には、前記垂直スライド部（２２１２）の両側にラック（２２３）及び調整ユニット（２２４）がそれぞれ配置され、
当該調整ユニット（２２４）は、前記ラック（２２３）と係合可能な係止部材（２２４２）を有し、
当該係止部材（２２４２）は、水平方向に滑動可能に前記スライド・ブロック（２３１）と嵌合し、
前記係止部材（２２４２）は前記ラック（２２３）と係合されるときに、前記スライド・ブロックが前記垂直スライド部（２２１２）に対して固定され、前記結合台（２２）と前記ベース部（２１）との間の前記角度が固定され、
前記調整ユニット（２２４）により、前記ラック（２２３）から離れる方向に、前記係止部材（２２４２）が水平方向に滑動されるとき、前記スライド・ブロックが前記垂直スライド部（２２１２）に沿って垂直方向に滑動可能となり、前記スライド・ブロックの当該滑動により、前記結合台（２２）と前記ベース部（２１）との間の前記角度が調整される
ことを特徴とする表示装置。
【発明の詳細な説明】
【技術分野】
【０００１】
本発明は表示装置の支え構造に関し、特に、角度調整可能な表示装置支え構造、及び表示装置に関する。
【背景技術】
【０００２】
液晶表示装置は、コンピュータやテレビなどのスクリーンとして広く使われている。今日、技術の進歩により、元々表示機能しかを有しない液晶表示装置は、タッチスクリーンの機能や、手書きスクリーンなどの機能も備え、ゆえに、ユーザは直接表示画面に接触して操作を行い、又は、表示画面に直接手書きして入力することができるようになる。液晶表示装置はより使いやすい操作インターフェイスとなっている。
【０００３】
図１Ａは、従来の液晶表示装置の構造を示す斜視図である。図１Ｂは、図１Ａにおける部分Ａの拡大図である。
【０００４】
図１Ａと図１Ｂに示すように、従来の液晶表示装置において、表示パネル１１は結合部材１２に対応して設置し、ボルト１３１とナット１３３を螺合させて、円盤状のスペーサー１３２を押圧することにより、結合部材１２の２つの端部を支え部１３に固定する。スペーサー１３２は、ナット１３３に強く押されているので、その弾性力により、結合部材１２と支え部１３が押圧される。
【０００５】
表示パネル１１の角度を調整する時は、結合部材１２を所望の角度になるまで強くパネル１１を押して角度調整を行う。しかし、ボルト１３１は、長期間に使用され損傷されると、結合部材１２に対する圧力が減少し、十分な固定力が得られなくなる。その結果、パネル１１の角度が不安定になる。また、以上の構造は、表示画面に外力を加えると、表示パネル１１が回転してしまい、角度が変動する傾向があるので、パネル１１に外圧を加える操作（例えば、手書き操作又はタッチ操作）を行う時に、このような従来の支え構造はユーザの手や肘を支えることができず、角度が変わってしまうことが予想される。
【０００６】
従来の支え構造の固定力不足の問題や重さに耐えられない問題を如何に解決し、手書き操作又はタッチ操作を可能にするかは、研究の課題である。
【発明の開示】
【発明が解決しようとする課題】
【０００７】
本発明の目的は、迅速にかつ容易に角度を調整できる表示装置支え構造を提供することにある。
【０００８】
本発明の他の目的は、大きい範囲で角度調整ができ、手書き操作及び鑑賞に適した表示装置支え構造を提供することにある。
【０００９】
本発明の更なる他の目的は、十分な固定力を有し、外力を加えても表示装置の角度が変動しない表示装置支え構造を提供することにある。
【課題を解決するための手段】
【００１０】
以上の目的を達成するために、本発明の角度調整可能な表示装置支え構造において、
結合台及び支え板の一端はベース部に取り付けられ、結合台に垂直スライド部が設けられ、それに対応して、支え板の上端部にスライド・ブロックが設けられている。垂直スライド部の両側にラック及び調整ユニットがそれぞれ配置され、調整ユニットは、ラックと係合可能な係止部材を有し、また、当該係止部材の一端がスライド・ブロック内に嵌め込まれている。
【００１１】
表示パネルが結合台に取り付けられた時に、調整ユニットの操作棒を引いて斜め溝を押し、係止部材を一方向に移動させ、ラックとの係合状態を解除する。そして、スライド・ブロックを垂直スライド部に沿って上下にスライドさせることにより、結合台と支え板との間の角度を変えることができる。最後に、操作棒を放すと、位置決めを完成する。
【発明の効果】
【００１２】
本発明により、容易にかつ迅速に支え構造の角度を調整できる。また、係止部材とラックとを係合し合うことにより位置決めをするので、十分に大きな固定力が得られる。
【発明を実施するための最良の形態】
【００１３】
次に、添付した図面を参照しながら、本発明の実施形態を説明する。
【００１４】
図２は、本発明の角度調整可能な支え構造の斜視図である。
【００１５】
図３は、本発明の角度調整可能な支え構造の分解図である。
【００１６】
図２と図３に示すように、本発明の角度調整可能な支え構造２０は、ベース２１、結合台２２、支え板２３を備えている。
【００１７】
ベース２１の後方の一辺は、両端が伸長し、水平足部２１１となっている。結合台２２の下端は、ベース２１の前端に取り付けられている。
【００１８】
結合台２２は、フレーム２２１、及びそのトップに設置された蓋板２２２を備えている。フレーム２２１に、収納部２２１１が設けられ、収納部２２１１の周辺に接続孔２２１４が設けられ、各種の表示パネルを固定するのに用いられる。収納部２２１１の底部に垂直するスライド部２２１２が設けられ、スライド部２２１２の両側にそれぞれラック２２３及び調整ユニット２２４が配置されている。ラック２２３は、垂直スライド部２２１２に対面する側に、歯部２２３１が設けられている。
【００１９】
調整ユニット２２４は、スライド板２２４１、係止部材２２４２、及び操作棒２２４３を備えている。スライド板２２４１に、一方のサイドに沿って垂直方向のガイド溝２２４１１が形成されており、スライド板２２４１の他のサイドの側面に対面して、位置回復部材２２４１５が設置されている。
【００２０】
位置回復部材２２４１５の弾性変形方向は、スライド板２２４１のスライド方向に平行する。位置回復部材２２４１５の一の端部は、フレーム２２１に固定され、他の端部は、スライド板２２４１に引っ掛かられる。位置回復部材２２４１５は、例えば、バネやバネ板などからなる。
【００２１】
スライド板２２４１の上端部及び下端部に、ラック２２３から離れる方向へやや傾いた斜め溝２２４１２が形成されている。スライド板２２４１に、適当な位置で水平ガイド溝２２４１３が形成され、水平ガイド溝２２４１３の中に、ガイド部材２２４１４が配置されており、そのガイド部材２２４１４は、収納部２２１１の底部に固定されている。
【００２２】
係止部材２２４２は、ラック２２３とスライド板２２４１の間に設置され、その両端部に、歯部２２４２１と曲り部２２４２２がそれぞれ形成されている。歯部２２４２１はラック２２３の歯部２２３１と係合し、曲り部２２４２２はスライド板２２４１の垂直ガイド溝２２４１１と係合する。
【００２３】
操作棒２２４３はスライド板２２４１上に設置されている。操作棒２２４３は板状本体２２４３１とその上に少なくとも一つの推し部材２２４３２を備えている。推し部材２２４３２の数は、斜め溝２２４１２の数及び位置による。推し部材２２４３２の下端部に傾斜部が形成されており、傾斜部が斜め溝２２４１２に嵌め込み係合する。操作棒２２４３の本体２２４３１の上端部に、ハンドル部２２４３３が片持状に設けられ、フレーム２２１の上端部から突出し、ユーザはハンドル部２２４３３を操作して操作棒２２４３を容易に操作することができる。
【００２４】
操作棒２２４３の近くにガイド部２２１３が設置され、操作棒２２１３を、垂直ガイド溝２２４１１に沿った方向に移動するようにガイドする。本体２２４３１上に位置回復部材２２４３４が設けられており、その一端は、操作棒２２４３に固定され、他端は、蓋板２２２に固定されている。位置回復部材２２４３４の弾性変形方向は、操作棒２２４３の移動方向と平行する。
【００２５】
支え板２３は、結合台２２の後方に位置し、結合台２２を支え、結合台２２とベース２１との間に所定の角度を形成する。支え板２３の下端部は、ベース２１に接続され、上端部は、スライド・ブロック２３１に設けられている。スライド・ブロック２３１上に、垂直スライド部２２１２に対向して、突出部２３１１が形成されている。突出部２３１１は、垂直スライド部２２１２に嵌め込み、スライド・ブロック２３１が垂直スライド部２２１２に沿って移動するようにする。
【００２６】
突出部２３１１上に、スライド溝２３１２１を備えたスライド部材２３１２が固定されている。係止部材２２４２は、スライド部材２３１２のスライド溝２３１２１に嵌合し、スライド・ブロック２３１に対して水平方向にスライドする。
【００２７】
以上の構成により、本発明の角度調整可能な支え構造２０が構成される。
【００２８】
図４は、本発明の角度調整可能な支え構造２０に表示パネルを取り付けた様子を示す斜視図である。
【００２９】
表示パネル１１は、接続孔２２１４に対応して配置され、支え構造２０に取り付けられる。  ベース２１の水平足部２１１と表示パネル１１の底部は、テーブル１の上に置かれる。
【００３０】
図５Ａと図５Ｂは、本発明の角度調整可能な支え構造２０の動作を示す側面図である。
【００３１】
図６Ａと図６Ｂは、本発明の角度調整可能な支え構造２０の動作を示す正面図である。
【００３２】
係止部材２２４２の歯部２２４２１は、ラック２２３の歯部２２３１によりロックされ固定される（図６Ａと図６Ｂ）。
【００３３】
図５Ａと図６Ｂに示すように、操作棒２２４３を上に引くと、位置回復部材２２４３４が引っ張られて変形し、操作棒２２４３の推し部材２２４３２は斜め溝２２４１２の斜面に当接し、ガイド部材２２４１４と水平ガイド溝２２４１３により、スライド板２２４１が水平方向に移動される。これにつれて、スライド板２２４１の垂直ガイド溝２２４１１に嵌め込まれている係止部材２２４２は、水平方向にスライドし、ラック２２３から離れ、ラック２２３との係合が解除される。
【００３４】
この時、操作棒２２４３を操作して結合台２２を動かし、スライド・ブロック２３１を結合台２２の垂直スライド部２２１２に沿って上下にスライドさせることにより、結合台２２と支え板２３との間の角度を変えることができる。
【００３５】
所定の角度に達した後に、操作棒２２４２を放す。操作棒２２４３は位置回復部材２２４３４に引っ張られているので、弾性力により元の位置に戻る。これによって、係止部材２２４２はラック２２３にロックされ、結合台２２が固定される。
【００３６】
このように、位置決めための操作棒２２４３により係止状態を制御し、スライド・ブロック２３１を利用して角度を調整することができ、また、ユーザは操作棒２２４３を容易に操作でき、迅速に角度を調整できる。係止部材２２４２をラック２２３の異なる位置に係止することにより、結合台２２と支え板２３の相対位置を変えることができ、その結果、表示パネル１１は、大きいな範囲で角度を変更可能となり、これによって、表示パネル１１は、手書き操作及び鑑賞に用いることができる。
【００３７】
係止部材２２４２の歯部２２４２１とラック２２３の歯部２２３１とを係合させて支え構造２０を固定させ、同時に、斜め溝２４１２と係止部材２２４２の移動方向の間に大きな角度が形成され、さらに、位置回復部材２２４３４の弾性力を加えて、係止部材２２４２の歯部２２４２１とラック２２３の歯部２２３１とをしっかり係合させることができ、支え構造２０は十分に大きな固定力を得られる。その結果、ユーザは手書き操作やタッチ操作をする時に、表示パネル１１に圧力を加えても、支え構造２０はその外力に耐えられ、角度は変動しない。また、スライド板２２４１の傍に位置回復部材２２４１５を設置し、さらに補強する。
【００３８】
また、調整ユニット２２４の斜め溝２２４１２、垂直ガイド溝２２４１１、及び水平ガイド溝２２４１３からなる構成は、係止部材２２４２を一の方向に移動させ、係止部材２２４２の歯部２２４２１とラック２２３の歯部２２３１との係合を解除させることにより、係止部材２２４２を容易にラック２２３との係合から離脱させることができる。
【００３９】
以上、本発明の好ましい実施形態を説明したが、本発明はこの実施形態に限定されず、本発明の趣旨を離脱しない限り、本発明に対するあらゆる変更は本発明の範囲に属する。
【図面の簡単な説明】
【００４０】
【図１】（Ａ）は、従来の液晶表示装置の構造を示す斜視図である。（Ｂ）は、（Ａ）における部分Ａの拡大図である。
【図２】本発明の角度調整可能な支え構造の斜視図である。
【図３】本発明の角度調整可能な支え構造の分解図である。
【図４】本発明の角度調整可能な支え構造２０に表示パネルを取り付けた様子を示す斜視図である。
【図５】（Ａ）と（Ｂ）は、本発明の角度調整可能な支え構造２０の動作を示す側面図である。
【図６】（Ａ）と（Ｂ）は、本発明の角度調整可能な支え構造２０の動作を示す正面図である。
【符号の説明】
【００４１】
テーブル            １
表示パネル          １１
支え構造            ２０
水平足部            ２１１
結合台              ２２
フレーム            ２２１
収納部              ２２１１
垂直スライド部      ２２１２
水平ガイド溝        ２２４１３
接続孔              ２２１４
蓋板                ２２２
ラック              ２２３
歯部                ２２３１
調整ユニット        ２２４
スライド板          ２２４１
垂直ガイド溝        ２２４１１
斜め溝              ２２４１２
水平ガイド溝        ２２４１３
ガイド部材          ２２４１４
位置回復部材        ２２４１５
係止部材            ２２４２
歯部                ２２４２１
曲り部              ２２４２２
操作棒              ２２４３
板状本体            ２２４３１
推し部材            ２２４３２
ハンドル部          ２２４３３
位置回復部材        ２２４３４
支え板              ２３
スライド・ブロック  ２３１
突出部              ２３１１
スライド部材        ２３１２
スライド溝          ２３１２１
【図１Ａ】
0004001882.tif 000002
【図１Ｂ】
0004001882.tif 000003
【図２】
0004001882.tif 000004
【図３】
0004001882.tif 000005
【図４】
0004001882.tif 000006
【図５Ａ】
0004001882.tif 000007
【図５Ｂ】
0004001882.tif 000008
【図６Ａ】
0004001882.tif 000009
【図６Ｂ】
0004001882.tif 000010